(57)【特許請求の範囲】
【請求項１】
エレベーターホールまでの経路に該ホールに入るためのセキュリティゲートが設置されたエレベーターに設けられるエレベーター表示装置であって、
前記セキュリティゲートにおいてゲート扉よりも入口側に設けられ、利用者の行先階情報を読み取ってエレベーター制御装置へ送信する行先階登録手段と、
前記セキュリティゲートにおいて前記ゲート扉よりも出口側に設けられ、動作物を検出する利用者検出手段と、
前記セキュリティゲートにおいて前記利用者検出手段と共に前記ゲート扉よりも出口側に設けられた割当号機表示手段と、
前記利用者検出手段により動作物が検出されている間は前記行先階情報を元に前記エレベーター制御装置により算出した割当号機情報を前記割当号機表示手段へ表示させ、前記利用者検出手段により動作物が検出されていない間は前記割当号機情報を前記割当号機表示手段へ表示させない割当号機表示制御手段と、
を備えたことを特徴とするエレベーター表示装置。
【請求項２】
前記行先階登録手段により前記行先階情報が読み取られた場合又は前記利用者検出手段により動作物が検出されている間は、前記割当号機表示手段が点灯するように該割当号機表示手段の表示輝度を調整する割当号機表示輝度制御手段を備えたことを特徴とする請求項１に記載のエレベーター表示装置。
【請求項３】
前記割当号機表示輝度制御手段は、前記行先階登録手段により前記行先階情報が読み取られていない場合かつ前記利用者検出手段により動作物が検出されていない間は前記割当号機表示手段の表示輝度を下げるように制御することを特徴とする請求項２に記載のエレベーター表示装置。
【発明の詳細な説明】
【技術分野】
【０００１】
この発明は、エレベーター表示装置に係り、特に、エレベーターホールまでの経路に該ホールに入るためのセキュリティゲートが設置されたエレベーターに設けられるエレベーター表示装置に関するものである。
【背景技術】
【０００２】
近年、建物のセキュリティ強化の目的で、エレベーターホールまでの経路に設置されたセキュリティゲートの手前に行先階登録手段を設け、その行先階登録手段で行先階を登録することによりゲート扉が開き、登録した行先階に対応した割当号機をセキュリティゲートの奥側に表示させるエレベーターホール案内装置が提案されている（例えば、特許文献１参照）。
【先行技術文献】
【特許文献】
【０００３】
【特許文献１】特開２００７−３２０７５８号公報
【発明の概要】
【発明が解決しようとする課題】
【０００４】
前記特許文献１に開示されたエレベーターホール案内装置は、かごの行先階毎に複数のホールが区分されているエレベーターに設けられるエレベーターホール案内装置であって、利用者によって行先階情報が入力される入力手段と、各ホールに停止するかごの行先階を示すホール停止階情報を格納している記憶手段と、記憶手段のホール停止階情報に基づいて、入力手段で入力された行先階情報に応じてホールを選定すると共に、該ホールを案内するための情報を出力する案内制御手段と、案内制御手段からの情報に基づいて、所望のホールを利用者に案内する案内手段と、を備えたものである。
【０００５】
前記エレベーターホール案内装置によれば、案内制御手段は、入力手段で入力された行先階情報に応じてホールを選定すると共に、該ホールの案内情報を出力するので、より確実に行先階に対応したホールを利用者に案内でき、かごの行先階毎に複数のホールが区分されている場合に利用者が戸惑う可能性を低減できる。
【０００６】
しかし、エレベーターホールに入るために設置されるセキュリティゲートの大きさは様々であり、行先階情報を入力する入力手段から割当号機を表示する割当号機表示手段までの距離も一意ではない。さらに、利用者の移動速度によっても行先階情報を入力してから割当号機表示手段に達するまでの時間に差がある。従って、割当号機の表示時間を一定にした場合、表示時間が短すぎると割当号機を見逃してしまい、表示時間が長すぎると表示のために無駄な消費電力を費やすことになる。また、割当号機表示手段の点灯時間が長くなることで表示手段の寿命にも影響が出る恐れがある。
【０００７】
割当号機表示手段の寿命を延ばすのに、割当号機情報の表示が不要な時にバックライトユニット自体を完全にオフする方法が考えられるが、割当号機情報の表示／非表示が短い間隔で頻繁に行われる場合にあっては、割当号機表示手段のバックライトユニットのオン／オフを頻繁に行うことになり、結果的に割当号機表示手段の寿命を短くしてしまう恐れがある。
【０００８】
この発明は、前記従来技術の課題に鑑みてなされたもので、セキュリティゲートの大きさや、利用者の移動速度等によって変化する割当号機情報確認までの時間を制御するエレベーター表示装置の提供を目的とするものである。
【課題を解決するための手段】
【０００９】
この発明に係るエレベーター表示装置は、エレベーターホールまでの経路に該ホールに入るためのセキュリティゲートが設置されたエレベーターに設けられるエレベーター表示装置であって、前記セキュリティゲートにおいてゲート扉よりも入口側に設けられ、利用者の行先階情報を読み取ってエレベーター制御装置へ送信する行先階登録手段と、前記セキュリティゲートにおいて前記ゲート扉よりも出口側に設けられ、動作物を検出する利用者検出手段と、前記セキュリティゲートにおいて前記利用者検出手段と共に前記ゲート扉よりも出口側に設けられた割当号機表示手段と、前記利用者検出手段により動作物が検出されている間は前記行先階情報を元に前記エレベーター制御装置により算出した割当号機情報を前記割当号機表示手段へ表示させ、前記利用者検出手段により動作物が検出されていない間は前記割当号機情報を前記割当号機表示手段へ表示させない割当号機表示制御手段と、を備えたものである。
【発明の効果】
【００１０】
この発明に係るエレベーター表示装置によれば、セキュリティゲートの大きさや、利用者の移動速度等にとらわれない適切な表示を行うことができる。
【図面の簡単な説明】
【００１１】
【図１】この発明の実施の形態１に係るエレベーター表示装置が適用されるセキュリティゲートの部分斜視図である。
【図２】この発明の実施の形態１に係るエレベーター表示装置の動作を説明する図である。
【発明を実施するための形態】
【００１２】
以下、添付の図面を参照して、この発明に係るエレベーター表示装置について好適な実施の形態を説明する。なお、この実施の形態によりこの発明が限定されるものではない。
【００１３】
実施の形態１．
図１は、この発明の実施の形態１に係るエレベーター表示装置が適用されるセキュリティゲートの部分斜視図である。図１において、エレベーターホールまでの経路には、ホールに入るために利用者の個人認証が行われるセキュリティゲート１が設置されている。セキュリティゲート１には、行先階釦、あるいは利用者が携帯する例えばＩＣタグが組み込まれたＩＣカードに格納されている情報を読み取る受信部を設けた行先階登録手段２が設けられている。なお、以降ではＩＣカードに格納されている情報を読み取る受信部を設けた行先階登録手段２を設けた場合を例に挙げて説明する。行先階登録手段２は、後述する利用者検出手段３の検出情報がオフになるまで次の利用者の行先階入力を受付けないように構成されている。また、ＩＣカードには、利用者の個人認証を行うための利用者識別情報と、利用者の行先階を示す行先階情報が格納されている。
【００１４】
セキュリティゲート１の入口付近にゲート扉４が設けられ、行先階登録手段２はゲート扉４の手前に設けられている。利用者検出手段３は、セキュリティゲート１の出口付近に設けられており、利用者検出手段３と共に、セキュリティゲート１の出口付近に割当号機表示手段５が設けられている。
【００１５】
利用者検出手段３は、モーションセンサや遮光センサ等、範囲内の動作物を検出する機器で構成され、行先階登録手段２により登録された利用者を検出し、後述する動作により検出情報を出力する。また、割当号機表示手段５は、バックライト付の液晶モジュール等により構成され、後述する動作により割当号機情報を表示する。
【００１６】
次に、実施の形態１に係るエレベーター表示装置の動作について説明する。図２は、実施の形態１に係るエレベーター表示装置の動作を説明する図である。図２において、行先階登録手段２は、利用者が行先階登録手段２に設けられたＩＣカード受信部（図示せず）にＩＣカードを接触させて入力した行先階を、行先階情報Ａとしてエレベーター制御装置６へ送信する。
【００１７】
エレベーター制御装置１は、行先階登録手段２から送信された行先階情報Ａを受取ると、ゲート扉４を開くと共に、行先階情報Ａに対応した割当号機情報Ｂを割当号機表示制御手段７へ送信する。割当号機情報Ｂとしては、エレベーターの号機番号「Ａ号機」等が該当する。
【００１８】
利用者検出手段３は、行先階登録手段２により登録された利用者を検出し、検出情報Ｃを割当号機表示制御手段７と割当号機表示輝度制御手段８へ送信する。ここで、利用者検出手段３が動作物を検出している場合の検出情報Ｃは検出オン、動作物を検出していない場合の検出情報Ｃは検出オフである。
【００１９】
割当号機表示制御手段７は、エレベーター制御装置６からの割当号機情報Ｂを受取ると、割当号機表示輝度制御手段８へ表示情報Ｄを送信する。同時に利用者検出手段３からの検出情報Ｃに従い、割当号機情報Ｅを割当号機表示手段５に送信する。この時、利用者検出手段３からの検出情報Ｃがオンの場合のみ割当号機情報Ｅを割当号機表示手段５に送信し、利用者検出手段３からの検出情報Ｃがオフの場合は送信しない。割当号機表示手段５は、割当号機表示制御手段７からの割当号機情報Ｅを受取ると、割当号機情報Ｅを表示する。行先階登録手段２で行先階を登録した利用者は、ゲート扉４を通り、割当号機表示手段５に表示される割当号機情報Ｄを確認する。
【００２０】
割当号機表示輝度制御手段８は、割当号機表示制御手段７からの表示情報Ｄが送信された場合、または利用者検出手段３からの検出情報Ｃがオンの場合は、割当号機表示手段５が点灯するように輝度情報Ｆを送信し、利用者検出手段３からの検出情報Ｃがオフの場合には、割当号機表示手段５の輝度が最小となるように輝度情報Ｆを送信し、割当号機表示手段５の輝度を制御する。
【００２１】
上記で説明した割当号機表示手段５の表示状態をまとめると、以下になる。
[検出情報Ｃ]    [表示情報Ｄ]    [輝度情報Ｆ]    [表示]
オフ            オフ            最小    ⇒      無（消灯）
オフ            オン            点灯    ⇒      有
オン            オン            点灯    ⇒      有
オン            オフ            点灯    ⇒      有
【００２２】
以上のように、割当号機表示手段５が点灯している場合と、輝度が最小の場合では消費電力に大きく差があるため、割当号機情報Ｅの表示が不要な場合は極力、割当号機表示手段５の輝度を最小とすることで待機電力を抑えることが出来る。割当号機表示手段５のバックライトユニットを直接オン／オフさせないため、割当号機表示手段５のバックライトユニットの寿命にも影響が無い。
【００２３】
また、割当号機表示手段５が点灯している場合、割当号機表示手段５自体の温度が上昇し、割当号機表示手段５の寿命に影響が出る恐れがあり、さらに割当号機表示手段５の周辺機器への熱の影響も懸念されるため、割当号機情報Ｅの表示が不要な場合は極力、割当号機表示手段５の輝度を最小とすることで熱の影響を抑えることが出来る。
【００２４】
以上説明したように、実施の形態１に係るエレベーター表示装置によれば、セキュリティゲート１の大きさや、利用者の移動速度によって変化する割当号機情報の確認時間を利用者検出手段３の信号により制御するので、セキュリティゲート１の大きさや利用者の移動速度にとらわれない適切な表示時間を提供することが出来る。
【００２５】
また、割当号機情報の表示が不要な時は割当号機表示手段５の輝度を下げることで待機電力を下げ、割当号機表示手段５の寿命を延ばすと共に、割当号機表示手段５の温度上昇を抑え、周辺機器への熱影響を抑えることが出来る。
【符号の説明】
【００２６】
１  セキュリティゲート
２  行先階登録手段
３  利用者検出手段
４  ゲート扉
５  割当号機表示手段
６  エレベーター制御装置
７  割当号機表示制御手段
８  割当号機表示輝度制御手段
Ａ  行先階情報
Ｂ、Ｅ  割当号機情報
Ｃ  検出情報
Ｄ  表示情報
Ｆ  輝度情報
【図１】
0005482090.tif 000002
【図２】
0005482090.tif 000003